(57)【要約】【課題】蓋を用いて外用製剤を成形するものにおいて、支持体を容器本体に嵌め込む際に、支持体に対して容器本体が傾いてしまうのを防ぐことができる外用製剤の容器およびこれを用いた外用製品を提供する。【解決手段】  本発明の外用製剤１の容器２は、容器本体２１と、固形状の外用製剤１を保持する支持体３と、この支持体３に着脱自在に取り付けられた蓋５とを備える。容器２は、周方向に間隔をおいて形成された複数の溝６１と、複数の溝６１に挿入される複数の突起６２とを有する。複数の溝６１は、容器本体２１の開口の内周面および支持体３の外周面のいずれか一方に設けられる。複数の突起６２は、容器本体２１の開口の内周面および前記支持体３の外周面のいずれか他方に設けられる。【選択図】図２
2019146989.tif 000002
【特許請求の範囲】
【請求項１】
上方に開口する容器本体に嵌め込まれ、固形状の外用製剤を保持するための支持体と、
この支持体に着脱自在に取り付けられ、その内面に前記外用製剤の成形型が設けられた蓋と
を備えた外用製剤の容器であって、
前記容器本体の開口の内周面および前記支持体の外周面のいずれか一方に設けられ、その周面の周方向に間隔をおいてかつ上下方向に沿うように形成された複数の溝と、
前記開口の内周面および前記支持体の外周面のいずれか他方に設けられ、前記複数の溝に挿入される複数の突起と
を有し、
前記複数の溝と前記複数の突起とは、前記容器本体に前記支持体を嵌め込むときに、前記容器本体と前記支持体との上下方向の相対移動をガイドするように構成されている
ことを特徴とする外用製剤の容器。
【発明の詳細な説明】
【技術分野】
【０００１】
本発明は、一般に、外用製剤の容器およびこれを用いた外用製品に関し、より詳細には、蓋を用いて外用製剤を成形するように構成された外用製剤の容器およびこれを用いた外用製品に関する。
【背景技術】
【０００２】
特許文献１には、従来の外用製品が開示されている。この特許文献１記載の外用製品の容器は、下部部材と、この下部部材の上側に嵌め込まれる支持体と、この支持体の上側に着脱自在に取り付けられる上部部材とを備えている。上部部材の内面には、球状の凹面が形成されている。
【０００３】
この外用製品は、次のようにして製造される。上部部材に支持体を取り付け、上部部材を下側、支持体を上側に位置させる。この状態で、上部部材の内部に液状の製剤を注入する。このとき、液状の製剤は、その液面が少なくとも支持体のスポークよりも上方に位置するまで注入される。
【０００４】
下部部材は、反転させた状態で、内部に液状の製剤が注入された支持体の上方に載せられる。そして、このまま支持体と下部部材とが互いに近づく方向にプレスされる。これにより、支持体は下部部材に嵌め込まれる。そして、液状の製剤は固化され、固形状の製剤が成形される。
【先行技術文献】
【特許文献】
【０００５】
【特許文献１】国際公開第２０１１／０７１７９２号
【発明の概要】
【発明が解決しようとする課題】
【０００６】
ところで、この従来の外用製品は、支持体を下部部材に嵌め込む際に、下部部材が支持体に対して傾いてしまう場合があった。下部部材が支持体に対して傾いてしまうと、下部部材が傾いたままプレスされるため、下部部材や支持体が変形してしまう可能性がある。
【０００７】
本発明は、上記事情に鑑みてなされたものであり、その目的とするところは、蓋を用いて外用製剤を成形するものにおいて、支持体を容器本体に嵌め込む際に、支持体に対して容器本体が傾いてしまうのを防ぐことができる外用製剤の容器およびこれを用いた外用製品を提供することにある。
【課題を解決するための手段】
【０００８】
本発明の外用製剤の容器は、上方に開口する容器本体に嵌め込まれ、固形状の外用製剤を保持するための支持体と、この支持体に着脱自在に取り付けられ、その内面に前記外用製剤の成形型が設けられた蓋とを備えた外用製剤の容器であって、前記容器本体の開口の内周面および前記支持体の外周面のいずれか一方に設けられ、その周面の周方向に間隔をおいてかつ上下方向に沿うように形成された複数の溝と、前記開口の内周面および前記支持体の外周面のいずれか他方に設けられ、前記複数の溝に挿入される複数の突起とを有し、前記複数の溝と前記複数の突起とは、前記容器本体に前記支持体を嵌め込むときに、前記容器本体と前記支持体との上下方向の相対移動をガイドするように構成されていることを特徴とする。
【０００９】
またこの外用製剤の容器において、前記支持体の外周面には全周に亙って第一突条が設けられ、前記容器本体の内周面には、前記容器本体および前記支持体を上下反転させ前記複数の溝に前記複数の突起を挿入すると前記第一突条に載る第二突条が周方向の全周に亙って設けられ、前記容器本体の開口に前記支持体を嵌め込むと、前記第二突条と前記第一突条とが係り合って前記容器本体と前記支持体とが互いに離れる方向へ相対移動するのを規制するように構成されていることが好ましい。
【００１０】
またこの外用製剤の容器において、前記蓋は前記支持体に対して上下軸廻りに回転して脱着できるように構成され、前記支持体には、前記外用製剤に埋め込まれ当該外用製剤を保持するように構成された保持部が設けられ、前記保持部は、前記上下軸廻りの周方向に交差する方向に広がった膨出面を有していることが好ましい。
【００１１】
またこの外用製剤の容器において、前記蓋は前記支持体に対して上下軸廻りに回転して脱着できるように構成され、前記成形型の成形面は、前記上下軸に直角な断面において円形状であり、かつ上方に向かうほどその内径が小さくなるように構成されていることが好ましい。
【００１２】
またこの外用製剤の容器において、当該容器は、前記支持体に前記蓋が取り付けられ前記容器本体の上端縁と前記蓋の下端縁とが近接対向した蓋の装着状態において平面視略円形状であり、前記蓋は前記支持体に対して上下軸廻りに回転して脱着できるように構成されており、前記蓋の装着状態において前記蓋の上端から前記容器本体の底まで連続する複数の稜線が、平面視放射状に設けられていることが好ましい。
【００１３】
本発明の外用製品は、前記外用製剤の容器を用いた外用製品であって、前記外用製剤の容器と、前記支持体に前記蓋が取り付けられ、上下反転した状態で前記蓋の前記成形型に液状の外用製剤を注入し、固化することで成形された固形状の外用製剤とを備えていることを特徴とする。
【発明の効果】
【００１４】
本発明の容器および外用製品によれば、蓋を用いて外用製剤を成形するものにおいて、支持体を容器本体に嵌め込む際に、支持体に対して容器本体が傾いてしまうのを防ぐことができる。
【図面の簡単な説明】
【００１５】
【図１】本実施形態の外用製品の蓋を外した状態の斜視図である。
【図２】本実施形態の容器の分解斜視図である。
【図３】本実施形態の外用製品の蓋のみを断面で表した側面図である。
【図４】本実施形態の支持体の正面図である。
【図５】本実施形態の容器の鉛直面における断面図である。
【図６】図６Ａは、本実施形態の蓋の係合部の水平面における要部断面図である。図６Ｂは、本実施形態の蓋の係合部の鉛直面における要部断面図である。
【図７】図７Ａ，７Ｂ，７Ｃ，７Ｄは、本実施形態の外用製品の製造過程を説明する断面図である。
【図８】図８Ａは、外用製品の斜視図である。図８Ｂは、蓋が装着不良である状態の外用製品の斜視図である。
【図９】変形例の支持体の斜視図である。
【発明を実施するための形態】
【００１６】
以下、本発明の実施形態について添付図面に基づいて説明する。
【００１７】
本実施形態の外用製品は、腋等に用いられる外用のデオドラント製品である。この外用製品は、図１に示すように、容器本体２１に蓋５が設けられた容器２と、容器２に収容された外用製剤１とを備えている。外用製剤１は、固形であって、その表面が球面状をなしている。外用製剤１は、蓋５を取り外すと容器本体２１から突出した状態で露出する。ユーザは、蓋５を取り外すことで、外用製剤１を身体に塗布することができる。
【００１８】
以下、本実施形態の外用製品における方向の定義として、容器本体２１と蓋５とが並ぶ方向を上下方向として定義し、特記無き場合は、蓋５から容器本体２１に向かう方向を下方向（下方）とし、容器本体２１から蓋５に向かう方向を上方向（上方）として定義する。
【００１９】
容器２は、外用製剤１を内部に収容する。容器２は、容器本体２１と、この容器本体２１に嵌め込んで固定された支持体３と、蓋５とを備えている。蓋５は、支持体３に対して、上下軸９１廻りに回転してねじ込まれ、当該支持体３に対し所定の位置で固定される（以下、容器２のこの状態を蓋装着状態という）。容器本体２１と蓋５とは、例えば、外表面がエラストマー等の軟質樹脂によって覆われている。なお、本実施形態において上下軸９１は、容器２の上方から見て（以下、上方から見ることを平面視という）、蓋５の中央を通る仮想線である。
【００２０】
図２には、本実施形態の容器２の分解斜視図を示す。蓋５は、支持体３に支持された外用製剤１を覆う。また、蓋５は、その下面（つまり、支持体３側の面）に成形型５３が取り付けられており、後述のように、液状の外用組成物を固化させて外用製剤１を成形することができる。蓋５は、蓋本体５１と、成形型５３とを備えている。
【００２１】
蓋本体５１は、支持体３に着脱自在に取り付けられる。蓋本体５１は、下方に開口するドーム状をなしている。蓋本体５１の開口端部の内周面には、図３に示すように、雌ねじ部５２が形成されている。この雌ねじ部５２は、支持体３の雄ねじ部３３に、上下軸９１廻りに回転してねじ込み可能に構成されている。これにより、蓋５は、上下軸９１廻りに回転しながら上下方向に移動するように構成されている。
【００２２】
成形型５３は、蓋本体５１の内部に嵌め込まれている。成形型５３は、平面視において、蓋５に対して中心が同じ位置となるように配置されている。成形型５３の下面（以下、成形面５４という）は、上下軸９１に沿って断面略半円状をなす第一成形面５５と、断面において直線状に拡開する第二成形面５６とを含む。第一成形面５５と第二成形面５６は連続している。成形面５４は、上下軸９１に直角な断面において円形状であり、かつ上方に向かうほどその内径が小さくなるように構成されている。この成形面５４には、シボ加工が施されている。
【００２３】
第一成形面５５は、半球状をなしており、外用製剤１の上端部にいわゆる放物線テーパを形成する。第一成形面５５は、全面に亙って、上方に向かうほど上下軸９１に近づくように傾斜している。すなわち、第一成形面５５は、鉛直面（つまり、上下軸９１に平行な面）を含まず、全面に亙って傾斜している。
【００２４】
第二成形面５６は、第一成形面５５の下端から下方に向かって連続して形成されており、下方に向かうほど上下軸９１から離れるように傾斜している。第二成形面５６は、断面直線状をなしており、外用製剤１の基部（支持体３と外用製剤１との境界部分）に、いわゆる線形テーパを形成する。第二成形面５６も、第一成形面５５と同様、鉛直面を含まず、全面に亙って傾斜している。
【００２５】
支持体３は、外用製剤１を支持する。支持体３は、図２に示すように、容器本体２１の
開口に嵌め込まれて固定される。支持体３は、円筒状の本体部３１と、この本体部３１の内部に設けられた保持部３４とを備える。
【００２６】
本体部３１は、上下方向に開口した円筒状をなしている。本体部３１の外周面には、上下方向の中央にフランジ部３２が設けられている。フランジ部３２は、本体部３１の外周面から、本体部３１の径方向外側に向かって突出している。また、本体部３１の外周面の上部には、蓋５の雌ねじ部５２にねじ込まれる雄ねじ部３３が形成されている。なお、本体部３１の雄ねじ部３３に雌ねじ部５２がねじ込まれると、本体部３１の上端に成形型５３の下端が圧接する。
【００２７】
保持部３４は、外用製剤１に埋め込まれて、当該外用製剤１を保持する。保持部３４は、環状体３５と、この環状体３５を本体部３１に連結する複数のアーム部３７とを備えている。環状体３５の中央は、蓋５の回転軸（上下軸９１）上に位置している（以下、この環状体３５の中央の開口を貫通孔３６という）。この貫通孔３６は、例えば、直径１８ｍｍ程度に形成され、液状の外用組成物を注入する注入ノズルが挿通できるように構成されている。
【００２８】
容器本体２１は、椀状をなしており、上方に開口している。容器本体２１は、底壁部２２と、この底壁部２２の周囲から上方に向かって立ち上げられた側壁部２３とを備えている。側壁部２３は、外側に膨らむように湾曲している。側壁部２３は、平面視において、その外形が略円形状をなしている。また、容器本体２１の開口端面２５（上端面）には、下方に凹む凹段部２４が形成されている。容器本体２１に支持体３が嵌め込まれると、この凹段部２４に支持体３のフランジ部３２が入り込み、容器本体２１の開口端面２５とフランジ部３２の上面とが面一となる。
【００２９】
本実施形態の容器２は、開口に嵌め込む方向（つまり、上下方向）への支持体３と容器本体２１との相対移動をガイドするガイド部６と、固定部７とを備えている。なお、ここで言う支持体３の相対移動とは、容器本体２１と支持体３とが相対的に移動することを言うものとし、移動しない容器本体２１に対して支持体３が移動する場合だけでなく、移動しない支持体３に対して、容器本体２１が移動する場合や、両者が互いに近づく方向に移動する場合も含む。
【００３０】
ガイド部６は、容器本体２１の開口の内周面に設けられた複数の溝６１と、支持体３の外周面に設けられた複数の突起６２とから構成されている。各溝６１は、上下方向に沿うように（つまり、上下方向に延びて）形成されている。複数の溝６１は、容器本体２１の開口の内周面の周方向に間隔をおいて配置されている。各溝６１の上端は、上方に向かうほど、対向する側面間の距離が拡がるように形成されている。
【００３１】
各突起６２は、各溝６１に挿入できるように構成されており、溝６１の長さ方向に沿って移動可能に構成されている。各突起６２は、支持体３の本体部３１の外周面から突出している。本実施形態の複数の突起６２は、本体部３１の外周面から計１６箇所突出している。突起６２は、本体部３１の外周面において、８箇所以上に均等に配置されるのが好ましいが、例えば、合計４箇所に均等に（つまり、９０°毎に）配置されてもよい。また、突起６２は、支持体３に対して容器本体２１が傾いてしまうのを防ぐ点から、複数箇所に設けられていればよく、好ましくは計３箇所以上であり、より好ましくは計４箇所以上である。
【００３２】
固定部７は、容器本体２１との相対移動をガイド部６によってガイドされた支持体３を、容器本体２１の所定位置で固定する。固定部７は、支持体３に設けられた第一突条７１と、容器本体２１に設けられた第二突条７２とを備えている。
【００３３】
第一突条７１は、図４に示すように、支持体３の外周面から突出している。第一突条７１は、全長に亙って、上下軸９１に直角な面（つまり、水平面）上に位置している。第一突条７１は、支持体３の外周面の周方向に延びており、周面の全周に亙って設けられている。第一突条７１の下角部は、下方ほど中心軸９１側に位置する傾斜面となっている。
【００３４】
第一突条７１は、支持体３の上下方向において、突起６２と同じ位置に設けられている。また、支持体３の外周面からの第一突条７１の突出寸法は、突起６２の突出寸法よりも短い。従って、本実施形態の突起６２は、第一突条７１の表面から突出している。
【００３５】
なお、第一突条７１は、支持体３の外周面の全周に亙って連続的に設けられていてもよいし、全周に亙って断続的に設けられていてもよい。
【００３６】
第二突条７２は、図２に示すように、容器本体２１の内周面の全長に亙って設けられている。第二突条７２は、容器本体２１の内周面の周方向に延びている。第二突条７２の上縁は、全長に亙って、上下軸９１に直角な面（つまり、水平面）上に位置しており、略水平である。また、第二突条７２には、上述の複数の溝６１が設けられている。第二突条７２は、容器本体２１の開口に支持体３を嵌め込むと、その下縁で第一突条７１の上方への移動を規制する。
【００３７】
容器本体２１の開口に支持体３を嵌め込むとき、複数の溝６１に突起６２を挿入すると、図５に示すように、第二突条７２の上縁に第一突条７１が載る。この状態で、容器本体２１と支持体３とを互いに近づく方向にプレスすると、第二突条７２が第一突条７１を乗り越える。すると、第一突条７１と第二突条７２とが互いに係り合い、これにより支持体３と容器本体２１との互いに離れる方向への相対移動が規制され、支持体３は容器本体２１に嵌め込まれて固定される。
【００３８】
また、支持体３のフランジ部３２の上面には、図２に示すように、蓋５を所定位置で保持する係合部８が設けられている。係合部８は、図６に示すように、回り止め部８１と、係止部８２とを備えている。回り止め部８１と係止部８２とは、蓋５の回転方向に並んで設けられる。回り止め部８１は、蓋５が所定位置を超えて回転するのを規制する。係止部８２は、蓋５が開く方向に回転するのを規制する。本実施形態の係止部８２は、図６Ｂに示すように、支持体３の外周面から径方向の外側に突出する第１の係止突起８３と、フランジの上面から上方に向かって突出した第２の係止突起８４とを有している。
【００３９】
蓋５の開口の内周縁には、係合部８に係合する凸部５７が設けられる。凸部５７は、蓋５を閉め込む方向に回転していくと係止部８２（第１の係止突起８３と第２の係止突起８４）に当たる。さらに蓋５に回転力が与えられると、凸部５７が係止部８２を乗り越え、回り止め部８１に当たって回転規制される。一方、この状態において、蓋５は、開く方向に回転力が与えられると、凸部５７が係止部８２に当たって回転規制されるが、さらに強い回転力が与えられると、凸部５７が係止部８２を乗り越え、係止部８２による回転規制が解除される。
【００４０】
このような構成の容器２には外用製剤１が収容される。外用製剤１は、支持体３によって保持されている。外用製剤１は、固化した外用組成物により構成される。外用組成物としては、例えば、腋臭抑制用のデオドラント組成物が用いられている。
【００４１】
外用製剤１は、固形油分と、液状油分および／または半固形油分とを含有している。固形油分は、植物由来および／または動物由来の油分が用いられる。外用製剤１の稠度は、およそ１０〜４０である。
【００４２】
植物由来または動物由来の固形油分としては、ロウ類，固体油脂等が用いられる。ロウ類は、具体的に、ミツロウ，キャンデリラロウ，カルナウバロウ，ジョジョバロウ，セラックロウ，コメヌカロウなどが例示でき、これらのうち、１種類または複数種類を用いることができる。固体油脂は、具体的に、モクロウ，カカオ脂などが挙げられる。なお、固形油分としては、ミツロウ，キャンデリラロウ，及びカルナウバロウからなる群から選ばれる少なくとも１種を含有することが好ましい。
【００４３】
液状油分または半固形油分としては、液体油脂類または半固形油脂類，炭化水素油，エステル油，鎖状シリコーン油，環状シリコーン油，トリグリセリン，フッ素変性油等を用いることができる。外用製剤１は、少なくとも１種の液状油分と、少なくとも１種の半固形油分とを含有しているのが好ましい。
【００４４】
このような構成の外用製品は、例えば、次のようにして製造される。
【００４５】
図７Ａに示すように、支持体３と蓋５とを上下反転させ、この状態で、蓋５の雌ねじ部５２に支持体３の雄ねじ部３３をねじ込む。この後、図７Ｂに示すように、上下反転した状態の蓋５の上方から、成形型５３の内部に向かって液状の外用組成物を注入し、外用組成物の液面が、支持体３の保持部３４よりも上方に位置するまで位置させる。このとき、外用組成物を、支持体３の貫通孔３６に注入ノズルを通した状態で注入することが好ましい。これにより、外用組成物を支持体３に接しないようにして液状の外用組成物の温度の低下をできる限り抑制することができ、また、泡の発生を抑制して外用組成物を注入できる。
【００４６】
次いで、この状態で、図７に示すように、上下反転させた容器本体２１を、上下反転させた状態の支持体３の上方に載せる。このとき、容器本体２１の複数の溝６１に支持体３の複数の突起６２を挿入すると、容器本体２１の第二突条７２が第一突条７１に載る。この状態においては、図７Ｄに示すように、第一突条７１の全長に亙って第二突条７２が載るため、容器本体２１と蓋５との間の隙間が全長に亙って略同幅となり、容器本体２１が安定して支持された状態となる。
【００４７】
次いで、容器本体２１を支持体３側に押圧する。この時、突起６２が溝６１に沿って移動し、容器本体２１と支持体３との相対移動がガイドされるため、傾いたまま相対移動してしまうのを防ぐことができる。容器本体２１が支持体３側に押し込まれると、第一突条７１が第二突条７２を乗り越える。これにより、支持体３が容器本体２１に嵌め込まれる。
【００４８】
この後、液状の外用組成物を固形状に固化させる。加熱条件で調製された液状の外用組成物は冷却により固形状になる。これにより、外用製品が完成する。なお、液状の外用組成物を固化させる工程は、容器本体２１に支持体３を嵌め込む工程よりも前に行われてもよい。
【００４９】
本実施形態の外用製品は、図８Ａに示すように、平面視略円形であり、略球型（卵型など、大部分に球面を有する形状を含む）をなしている。外用製品は、蓋装着状態において、蓋５の上端から容器本体２１の底まで連続する複数の稜線９を有している。この複数の稜線９は、平面視放射状に配置されている。従って、本実施形態の蓋５は、容器本体２１に対して、所定の位置まで回転して回転規制されると（つまり、蓋装着状態になると）、稜線９が蓋５の上端から容器本体２１の底まで連続するように構成されている。
【００５０】
このため、蓋５の回転が不十分で、蓋５が所定位置まで回転していない状態では、図８
Ｂに示すように、稜線９が上下方向に連続しない。このため、ユーザは、一見して蓋５の装着不良を発見することができる。しかも、この稜線９は平面視放射状に配置されているため、ユーザがどの位置を見ても、直ちに発見することができる。
【００５１】
また、本実施形態の外用製品の外形は、略球状の容器２によって構成されているため、手触りや、手指に対するフィット感が良好である。これにより、使用感を向上させることができる。
【００５２】
なお、本実施形態の複数の溝６１は、容器本体２１の開口の内周面に設けられていたが、支持体３の外周面に設けられてもよい。この場合、複数の溝６１に挿入される複数の突起６２は、容器本体２１の開口の内周面に設けられる。これにより、本実施形態と同様にガイド部６を構成することができる。
【００５３】
（本実施形態の特徴）
本実施形態の外用製剤の容器２は、上方に開口する容器本体２１と、容器本体２１の開口に嵌め込まれ、固形状の外用製剤１を保持するための支持体３と、この支持体３に着脱自在に取り付けられた蓋５とを備える。蓋５は、その内面に外用製剤１の成形型５３が設けられる。容器２は、容器本体２１の開口の内周面および支持体３の外周面のいずれか一方に設けられた複数の溝６１と、開口の内周面および支持体３の外周面のいずれか他方に設けられた複数の突起６２とを備える。複数の溝６１は、周面の周方向に間隔をおいて、かつ上下方向に沿うように形成される。複数の突起６２は、複数の溝６１に挿入される。複数の溝６１と複数の突起６２とは、容器本体２１と支持体３とを嵌め込むときに、容器本体２１と支持体３との上下方向の相対移動をガイドするように構成されている。
【００５４】
このように本実施形態の外用製剤の容器２は、容器本体２１に支持体３を嵌め込むに当たり、複数の溝６１に複数の突起６２を挿入することで、容器本体２１と支持体３との相対移動をガイドすることができる。このため、容器本体２１と支持体３とを近づく方向にプレスしても、容器本体２１が傾いた状態でプレスされるのを抑制できる。この結果、容器本体２１や支持体３が変形してしまうのを防ぐことができる。
【００５５】
また、本実施形態の容器２は、突起６２および溝６１が、容器本体２１の内周面と支持体３の外周面とに周方向に間隔をおいて複数設けられているため、組み立て状態における容器本体２１と支持体３との周方向の相対的な応力に対しても、高い強度を保つことができる。
【００５６】
また、本実施形態の容器２の支持体３の外周面には、全周に亙って設けられた第一突条７１が設けられる。容器本体２１の内周面には、周方向の全周に亙って第二突条７２が設けられる。容器本体２１および支持体３を上下反転させ、複数の溝６１に複数の突起６２を挿入すると、第二突条７２が第一突条７１に載る。そして、容器本体２１の開口に支持体３を嵌め込むと、第二突条７２と第一突条７１とが係り合って、容器本体２１と支持体３とが互いに離れる方向へ相対移動するのを規制するように構成されている。
【００５７】
このように本実施形態の容器２は、支持体３上に容器本体２１を載せると、第二突条７２が第一突条７１に載置される。第一突条７１が支持体３の外周面の全周に亙って設けられており、かつ第二突条７２が容器本体２１の内周面の全周に亙って設けられているため、支持体３上に容器本体２１を載せた時に容器本体２１が傾きにくい。この結果、容器本体２１が傾いた状態でプレスされるのを抑制できる。
【００５８】
また、本実施形態の容器２は、蓋装着状態において平面視略円形状である。蓋５は支持体３に対して上下軸９１廻りに回転して脱着できるように構成されている。蓋装着状態に
おいて、蓋５の上端から容器本体２１の底まで連続する複数の稜線９が、平面視放射状に設けられている。蓋装着状態では、支持体３に蓋５が取り付けられ容器本体２１の上端縁と蓋５の下端縁とが近接対向する。
【００５９】
なお、「近接対向」とは、容器本体２１と蓋５とが隙間を介して対向した状態だけでなく、両者が接触している状態も含む。また、「平面視略円形状」とは、厳密な意味での円形状のみを言うのではなく、円形とみなせるものも含む。例えば、平面視略円形状には１６角形を含む。
【００６０】
本実施形態の容器２は、蓋５の回転が不十分で、蓋５が所定位置まで回転していない状態では、稜線９が連続しない。このため、ユーザは、一見して蓋５の装着不良を発見することができる。しかも、この稜線９は平面視放射状に設けられているため、ユーザは、どの位置を見ても、直ちに、装着不良を発見することができる。
【００６１】
また、本実施形態の蓋５は、支持体３に対して上下軸９１廻りに回転して脱着できるように構成されている。成形型５３の成形面５４は、上下軸９１に直角な断面において円形状であり、かつ上方に向かうほどその内径が小さくなるように構成されている。
【００６２】
本実施形態の容器２は、蓋５を用いて外用製剤１を成形した後において、蓋５を開く方向に回転すると、成形型５３のすべての成形面５４が外用製剤１の表面から離れる。このため、本実施形態の容器２によれば、蓋５を開く際に、蓋５の内面が成形された外用製剤１に摺れないようにできる。
【００６３】
また、本実施形態の突起６２は、支持体３の上下方向において第一突条７１と同じ位置に設けられている。このため、本実施形態の容器２によれば、固定部７とガイド部６とが上下方向に並んで設けられた構造に比べて、支持体３の上下方向の長さを短くでき、容器本体２１の上下方向の全長も短くできる。この結果、コンパクトな外用製品とすることができる。とりわけ、本実施形態の外用製品は腋用のデオドラント製品であるため、コンパクトな外用製品であると、ユーザは襟口を通して腋に塗布しやすく、使い勝手がよい。
（本実施形態の変形例）
本実施形態の支持体３は、例えば、図９のように形成されていてもよい（以下、この例を変形例という）。この変形例の支持体３ａは、上記実施形態と比較すると保持部３４ａの構成が異なっており、その他の構成は同じである。
【００６４】
保持部３４ａは、外用製剤１に埋め込まれ当該外用製剤１を保持する。保持部３４ａは、環状体３５ａと、この環状体３５ａを本体部３１ａに連結する複数のアーム部３７ａとを備えている。
【００６５】
各アーム部３７ａは、連結部３８ａと、膨出部３９ａとを備えている。連結部３８ａは、環状体３５ａを本体部３１ａに繋ぐ。連結部３８ａは、本体部３１ａの径方向に延びている。膨出部３９ａは、連結部３８ａに１つずつ設けられている。膨出部３９ａは、連結部３８ａの上面から上方に膨出している。膨出部３９ａの上端面は、曲面状をなしている。各膨出部３９ａは、一対の膨出面４０ａを有する。
【００６６】
膨出面４０ａは、上下軸９１廻りの周方向に交差する方向に広がっている。特に、本実施形態の膨出面４０ａは、上下軸９１廻りの周方向に直交した鉛直面により構成される。
【００６７】
保持部３４ａは、外用製剤１が固化すると、外用製剤１に埋め込まれる。これにより、支持体３ａは、外用製剤１を保持する。このとき、保持部３４ａは、上下軸９１廻りの周方向に交差する方向に広がった膨出面４０ａを有しているため、外用製剤１をより強く保
持することができる。特に、本変形例の外用製品によれば、外用製剤１に与えられる上下軸９１廻りの力（例えば、蓋５を回転して開閉する場合に外用製剤１に与えられる力）に対し、効果的に補強することができる。
【００６８】
なお、本実施形態の容器２は、略球状をなしていたが、これに限らず、例えば、円柱状，円錐状，円錐台状，角柱状，角錘状をなしていてもよい。
【００６９】
また、本実施形態の容器２は、蓋５の上端から容器本体２１の底まで連続する複数の稜線９によって、蓋装着状態を視認できるように構成されていたが、これに限らず、蓋５と容器本体２１とに跨るように模様や凹部などの装飾部を設け、これによって、蓋装着状態を視認できるように構成してもよい。
【００７０】
また、本実施形態の外用製品は、腋用のデオドラント製品であったが、例えば、口唇用の固形状リップクリームのような塗布型の化粧料に適用されてもよく、本発明において外用製剤は特に限定されない。
【符号の説明】
【００７１】
１      外用製剤
２      容器
２１    容器本体
３      支持体
３１    本体部
３２    フランジ部
３４    保持部
３５    環状体
３６    貫通孔
３７    アーム部
４０    膨出面
５      蓋
５１    蓋本体
５３    成形型
５４    成形面
６      ガイド部
６１    溝
６２    突起
７      固定部
７１    第一突条
７２    第二突条
８      係合部
９      稜線
９１    上下軸
【図１】
2019146989.tif 000003
【図２】
2019146989.tif 000004
【図３】
2019146989.tif 000005
【図４】
2019146989.tif 000006
【図５】
2019146989.tif 000007
【図６】
2019146989.tif 000008
【図７】
2019146989.tif 000009
【図８】
2019146989.tif 000010
【図９】
2019146989.tif 000011